(57)【要約】      （修正有）【課題】吸込グリルを本体の上または下から開閉可能となり、且つ開閉する際に、吸込グリルと本体との間に指が入る隙間が確保できて、開放していない時は隙間が目立たない吸込グリルの開閉機構を備えた空気調和機を提供する。【解決手段】吸込グリルの裏面上部両側には、上部軸３０ｂを備えた上部軸支持部３０が設けられ、裏面下部両側には下部軸３１ｂを備えた下部軸支持部３１が設けられている。本体側の吸込口の上部両側には、上部軸支持部３０に対応する、第一係止部２２ａ、第二係止部２２ｂ、第三係止部２２ｃを備えた上部係止具２２が設けられ、吸込口の下部両側には、下部軸支持部３１に対応する、第四係止部２３ａ、第五係止部２３ｂ、第六係止部２３ｃを備えた下部係止具２３が設けられている。【選択図】図３
2012127529.tif 000002
【特許請求の範囲】
【請求項１】
開閉可能な吸込グリルを本体前面に備え、同吸込グリルの上部を本体前面に支承する第一支承部と、同吸込グリルの下部を本体前面に支承する第二支承部を備えた空気調和機において、
前記第一支承部は、前記吸込グリルの裏面上部に突設した軸支持片と、同軸支持片の先端側面に設けられた上部軸とからなる上部軸支持部と、
前記本体前面に設けられ、前記上部軸を段階的に係止する第一係止部と、第二係止部と、第三係止部とを備えるとともに、前記第一係止部の前方に前記上部軸を挿通する第一切欠きを設けた上部係止具からなり、
前記第二支承部は、前記吸込グリルの裏面下部に突設した軸支持片と、同軸支持片の先端側面に設けられた下部軸とからなる下部軸支持部と、
前記本体前面に設けられ、前記下部軸を段階的に係止する第四係止部と、第五係止部と、第六係止部とを備えるとともに、前記第四係止部の前方に前記下部軸を挿通する第二切欠きを設けた下部係止具からなることを特徴する空気調和機。
【請求項２】
前記第一支承部と前記第二支承部は、前記吸込グリルの両端と、前記本体の両端に夫々設けられたことを特徴とする請求項１に記載の空気調和機。
【請求項３】
前記上部係止具の第二係止部の四隅には前記上部軸の移動を抑える第一突片が設けられ、前記下部係止具の第五係止部の四隅には前記下部軸の移動を抑える第二突片が設けられたことを特徴とする請求項１または請求項２に記載の空気調和機。
【請求項４】
前記吸込グリルを上方から開放する際は、前記下部軸を前記第六係止部に移動させ、前記上部軸を前記第一係止部に移動して前記第一切欠きより外し、前記吸込グリルを下方から開放する際は、前記上部軸を前記第三係止部に移動させ、前記下部軸を前記第四係止部に移動して前記第二切欠きより外し、前記吸込グリルを閉じた際は、前記上部軸を前記第二係止部に係止させるとともに、前記下部軸を前記第五係止部に係止させることを特徴とする請求項１から請求項３のいずれかに記載の空気調和機。
【請求項５】
前記上部係止具の第一係止部と第一切欠きとの間には、前記上部軸が前記上部係止具から外れることを規制する第一規制用突起が設けられたことを特徴とする請求項１から請求項４のいずれかに記載の空気調和機。
【発明の詳細な説明】
【技術分野】
【０００１】
本発明は、空気調和機に関わり、より詳細には、本体と、同本体に装着される吸込グリルの構成に関するものである。
【背景技術】
【０００２】
一体型空気調和機は、ベース上に室内側と室外側を仕切る仕切板が設けられ、同仕切板で仕切られた室内側には室内側熱交換器とシロッコファンとが配設され、室外側には室外側熱交換器とプロペラファンと、同プロペラファンと前記シロッコファンとを駆動するモータと、圧縮機とが配設されている。
【０００３】
また、前記各機器が配設された前記ベースは、外胴内に引き出し可能に収納され、外胴の前面には前面パネルが取り付けられて外郭筐体を構成している。（特許文献１参照）
【０００４】
前面パネルには左右に吹出口と吸込口とが形成され、吹出口には風向を調整する風向板を備え、吸込口には複数の桟を形成した吸込グリルが開閉および着脱自在に取り付けられている。吸込グリルの背面の前面パネルには吸い込まれた空気に含有される塵埃を捕集するフィルタが装着されている。
【０００５】
一体型空気調和機は、室内の壁面に開口された取付穴に据え付けられるようになっている。取付穴は主に壁面の上部に設けられることが多く、フィルタを清掃あるいは交換するために前面パネルから外す際は、吸込グリルの下面に設けた手掛に指を掛けて同吸込グリルを前方に回動させ、前面パネルからフィルタを取り出す下開き方式が用いられている。
【０００６】
しかし、家の構造によって取付穴が壁面の下部に設けられることもあり、この場合は、吸込グリルが下開き方式であると、吸込グリルを開けてもフィルタが見えないため取り出すことが困難である。
【０００７】
そこで、他の吸込グリルの開閉方式として、フィルタを備えた本体と同本体に着脱可能な吸込グリルからなり、吸込グリル背面の上部と下部には、突端に切欠きを有する円形状の孔を備えた係止部が設けられ、本体側には同係止部の切欠きから挿入され円形状の孔で係止される軸を備えた軸支持部が設けられている。フィルタの清掃や交換時には、吸込グリルを前面側に引き抜き、上下の係止部を同時に軸支持部から外して、フィルタを本体から外すことができるようになっている。（特許文献２参照）
【０００８】
上記構成において、上部または下部どちらか一方の軸支持部の軸を支点にして吸込グリルを上または下から開こうとすると、本体側の軸支持部を支点にして軸支された吸込グリルの係止部が、同係止部に設けられた切欠きから外れる虞があり、吸込グリルが本体から脱落してしまうという不具合がある。
【０００９】
また、本体と吸込グリルの上端および下端の間に指を掛ける隙間が確保されていないため吸込グリルが開けづらく、開け易くするために吸込グリルの上面及び下面に隙間を設けると、その分だけ本体の外形寸法が大きくなってしまう問題がある。
【先行技術文献】
【特許文献】
【００１０】
【特許文献１】特開平７−１３９７６０号（図１）
【特許文献２】特開２００５−１０６４１７号（４頁、図１）
【発明の概要】
【発明が解決しようとする課題】
【００１１】
本発明は、上記問題に鑑み、吸込グリルが本体の上または下から開閉でき、且つ、吸込グリルを開閉する際に脱落することがなく、しかも吸込グリルと本体との間に指が入る隙間を確保でき、閉じた状態では隙間が目立たない吸込グリルの開閉機構を備えた空気調和機を提供することを目的とする。
【課題を解決するための手段】
【００１２】
本発明は、上記課題を解決するため、開閉可能な吸込グリルを本体前面に備え、同吸込グリルの上部を本体前面に支承する第一支承部と、同吸込グリルの下部を本体前面に支承する第二支承部を備えた空気調和機において、
前記第一支承部は、前記吸込グリルの裏面上部に突設した軸支持片と、同軸支持片の先端側面に設けられた上部軸とからなる上部軸支持部と、
前記本体前面に設けられ、前記上部軸を段階的に係止する第一係止部と、第二係止部と、第三係止部とを備えるとともに、前記第一係止部の前方に前記上部軸を挿通する第一切欠きを設けた上部係止具からなり、
前記第二支承部は、前記吸込グリルの裏面下部に突設した軸支持片と、同軸支持片の先端側面に設けられた下部軸とからなる下部軸支持部と、
前記本体前面に設けられ、前記下部軸を段階的に係止する第四係止部と、第五係止部と、第六係止部とを備えるとともに、前記第四係止部の前方に前記下部軸を挿通する第二切欠きを設けた下部係止具からなる構成となっている。
【００１３】
また、前記第一支承部と前記第二支承部は、前記吸込グリルの両端と、前記本体の両端に夫々設けられた構成となっている。
【００１４】
また、前記上部係止具の第二係止部の四隅には前記上部軸の移動を抑える第一突片が設けられ、前記下部係止具の第五係止部の四隅には前記下部軸の移動を抑える第二突片が設けられた構成となっている。
【００１５】
また、前記吸込グリルを上方から開放する際は、前記下部軸を前記第六係止部に移動させ、前記上部軸を前記第一係止部に移動して前記第一切欠きより外し、前記吸込グリルを下方から開放する際は、前記上部軸を前記第三係止部に移動させ、前記下部軸を前記第四係止部に移動して前記第二切欠きより外し、前記吸込グリルを閉じた際は、前記上部軸を前記第二係止部に係止させるとともに、前記下部軸を前記第五係止部に係止させてなる構成となっている。
【００１６】
また、前記上部係止具の第一係止部と第一切欠きとの間には、前記上部軸が前記上部係止具から外れることを規制する第一規制用突起が設けられている構成となっている。
【発明の効果】
【００１７】
請求項１の発明によれば、吸込グリルを下方から開く際は、上部軸支持部の上部軸を上部係止具の第三係止部に移動して係止するとともに、下部軸を下部係止具の第四係止部の第二切欠きを通して前方に引き出すことにより、第三係止部を支点として下開き方式で吸込グリルを開放でき、また、吸込グリルを上方から開く際は、下部軸支持部の下部軸を下部係止具の第六係止部に移動して係止するとともに、上部軸は第一係止部の第一切欠きを通して前方に引き出すことにより、第六係止部を支点として上開き方式で吸込グリルを開放できるようになっている。これにより、空気調和機が壁面上部あるいは壁面下部に据え付けられても、本体内に取付けられたフィルタを容易に本体から取り外すことができるようになっている。
【００１８】
請求項２の発明によれば、前記第一支承部と前記第二支承部は吸込グリル及び本体の両端に夫々設けられることにより、吸込グリルを安定して本体に固定することができるようになっている。
【００１９】
請求項３の発明によれば、上部軸の移動を抑制する第一突片が上部係止具に設けられ、下部軸の移動を抑制する第二突片が下部係止具に設けられていることにより、上部軸を上部係止具の第二係止部に安定して係止させ、下部軸を下部係止具の第五係止部に安定して係止させることができるようになっている。
【００２０】
請求項４の発明によれば、吸込グリルを前面パネルからの脱落を的確に防止しながら上方または下方から開放することができるようになっており、また、吸込グリルと前面パネルとの間に指が挿入できる隙間が形成されることにより開放動作を容易に行うことができるようになっている。また、吸込グリルの上部軸を上部係止具の第二係止部で係止させ、下部軸を下部係止具の第五係止部で係止させることにより、吸込グリルと前面パネルとの上下の隙間を目立たせることなく吸込グリルを前面パネルに取付けることができるようになっている。
【００２１】
請求項５の発明によれば、上から吸込グリルを開く際、第一規制用突起により、上部軸が不用意に上部係止具から外れることを防止できるようになっている。
【図面の簡単な説明】
【００２２】
【図１】本発明による空気調和機を示す外観斜視図である。
【図２】本発明による空気調和機を示す正面図である
【図３】（Ａ）は図２のＡ−Ａ断面を示す断面図であり、（Ｂ）及び（Ｃ）は（Ａ）の部分拡大図である。
【図４】（Ａ）は本発明による空気調和機の吸込グリルを上部を支点として開放した際の動作を示す図であり、（Ｂ）及び（Ｃ）は（Ａ）の部分拡大図である。
【図５】（Ａ）は本発明による空気調和機の吸込グリルを下部を支点として開放した際の動作を示す図であり、（Ｂ）及び（Ｃ）は（Ａ）の部分拡大図である。
【発明を実施するための形態】
【００２３】
以下、本発明の実施の形態を、添付図面に基づいて詳細に説明する。
【実施例１】
【００２４】
本発明による空気調和機を一体型空気調和機に適用したとして一実施例を説明する。一体型空気調和機１は、図示はしていないが、ベース上に室内側と室外側を仕切る仕切板が設けられ、同仕切板で仕切られた室内側には室内側熱交換器とシロッコファンとが配設され、室外側には室外側熱交換器とプロペラファンと、同プロペラファンと前記シロッコファンとを駆動するモータと、圧縮機とが配設されている。また、図１に示すように、前記各機器が配設された前記ベース１０は外胴１１内に引き出し可能に収納され、同外胴１１の前面には前面パネル２が取り付けられて外郭筐体を構成している。
【００２５】
前面パネル２には、前面パネル２の約２／３の面積を占めて開口された吸込口２０と、残された約１／３の大部分を占めて開口された吹出口２１が設けられている。吸込口２０の前面側には、複数の吸込桟を形成した樹脂材からなる吸込グリル３が前記吸込口２０を覆うように開閉及び着脱自在に取付られている。また、吸込口２０には、樹脂材からなる枠体と同枠体内に張設された網体からなり、吸込まれた空気に含有される塵埃を捕集するフィルタ４が着脱自在に取付けられている。一方、前記吹出口２１には風向を調整する複数の風向板５が設けられている。
【００２６】
次に、吸込グリル３と前面パネル２の構成について説明する。図１に示すように、吸込グリル３の裏面上部の左右端には、上部軸支持部３０が左右対称となるように突設されている。また、前面パネル２の吸込口２０の左右夫々の側壁上部には、上部軸支持部３０に対応して、これを係止する上部係止具２２が設けられている。また、図１では示されていないが、吸込グリル３の裏面下部の左右端には、後述するように、下部軸支持部３１が左右対称となるように突設されており、また、吸込口２０の左右夫々の側壁下部には、下部軸支持部３１に対応して、これを係止する下部係止具２３が設けられている。
【００２７】
上部軸支持部３０と上部係止具２２とで吸込グリル３の上部を支承する第一支承部１ａが構成され、下部軸支持部３１と下部係止具２３とで吸込グリル３の下部を支承する第二支承部１ｂが構成されるようになっている。
【００２８】
次に、第一支承部１ａと第二支承部１ｂについて詳細に説明する。図３（Ａ）は、図２の正面図におけるＡ−Ａ断面を示す断面図で、前面パネル２と吸込グリル３の合わせ目の隙間から吸込グリル３側を示すものである。また、図３（Ｂ）は第一支承部１ａを示す要部拡大図であり、図３（Ｃ）は第二支承部１ｂを示す要部拡大図である。
【００２９】
次に、第一支承部１ａを構成する上部軸支持部３０と上部係止具２２について説明する。図３（Ｂ）に示すように、上部軸支持部３０は、吸込グリル３の裏面上部に突設された軸支持片３０ａと同軸支持片３０ａの先端側面に設けられた上部軸３０ｂとからなり、上部係止具２２は、前面パネル２の吸込口２０の側壁上部に設けられ、前方へ延出された板体と、同板体の中央に下方から上方に向かい順次抜き孔状に形成された第一係止部２２ａ、第二係止部２２ｂ及び第三係止部２２ｃと、第一係止部２２ａの前方に形成され、上部軸３０ｂが挿通できる第一切欠き２２ｄとからなっており、同第一切欠き２２ｄにより上部軸３０ｂは上部係止具２２に対し着脱可能となっている。上部軸３０ｂは第一係止部２２ａ、第二係止部２２ｂ及び第三係止部２２ｃに夫々段階的に係止されるとともに、これら係止部間を相互に移動可能となっている。
【００３０】
また、第二係止部２２ｂの四隅には、上部軸３０ｂの移動を規制する半円状に形成された第一突片２２ｅが複数設けられており、第一係止部２２ａと第一切欠き２２ｄとの間には、上部軸３０ｂが上部係止具２２から脱落することを防止する第一規制用突起２２ｆが設けられている。
【００３１】
次に、第二支承部１ｂを構成する下部軸支持部３１と下部係止具２３について説明する。図３（Ｃ）に示すように、下部軸支持部３１は、吸込グリル３の裏面下部に突設された軸支持片３１ａと同軸支持片３１ａの先端側面に設けられた下部軸３１ｂとからなり、下部係止具２３は、前面パネル２の吸込口２０の側壁下部に設けられ、前方へ延出された板体と、同板体の中央に上方から下方に向かい順次抜き孔状に形成された第四係止部２３ａ、第五係止部２３ｂ及び第六係止部２３ｃと、第四係止部２３ａの前方に形成され、下部軸３１ｂが挿通できる第二切欠き２３ｄとからなっており、同第二切欠き２３ｄにより下部軸３１ｂは下部係止具２３に対し着脱可能となっている。下部軸３１ｂは第四係止部２３ａ、第五係止部２３ｂ及び第六係止部２３ｃに夫々段階的に係止されるとともに、これら係止部間を相互に移動可能となっている。
【００３２】
また、第五係止部２３ｂの四隅には、下部軸３１ｂの移動を規制する半円状に形成された第二突片２３ｅが設けられており、第四係止部２３ａと第二切欠き２３ｄとの間には、下部軸３１ｂが下部係止具２３から脱落することを防止する第二規制用突起２３ｆが設けられている。
【００３３】
吸込グリル３が前面パネル２に保持される状態は、図３（Ｂ）及び図３（Ｃ）に示すように、吸込グリル３の上部軸支持部３０に備えられた上部軸３０ｂが、上部係止具２２の第二係止部２２ｂに保持されるとともに、下部軸支持部３１の下部軸３１ｂが下部係止具２３の第五係止部２３ｂに係止された状態となっている。上部軸３０ｂは第二係止部２２ｂに位置した状態において第一突片２２ｅにより第一係止部２２ａ及び第三係止部２２ｃへの移動を規制されるようになっており、下部軸支持部３１の下部軸３１ｂは第五係止部２３ｂに位置した状態において、第二突片２３ｅにより第四係止部２３ａ及び第六係止部２３ｃへの移動を規制されるようになっている。
【００３４】
次に、吸込グリル３を下方から開閉及び着脱する際の動作について説明する。図４は吸込グリル３を下方から開く際の動作を示しており、吸込グリル３を上方に押し上げると、図４（Ｂ）に示すように、上部軸支持部３０の上部軸３０ｂは上部係止具２２の第二係止部２２ｂから第一突片２２ｅを乗り越えて第三係止部２２ｃへと移動するようになっている。下部軸支持部３１の下部軸３１ｂは、図４（Ｃ）に示すように、第五係止部２３ｂから第二突片２３ｅを乗り越えて第四係止部２３ａへと移動するようになっており、これにより吸込グリル３の底面と前面パネル２との間に指が挿入できる隙間７が形成されるようになっている。
【００３５】
続いて、吸込グリル３の底面に形成された隙間７に指を掛け、上部係止具２２の第三係止部２２ｃに係止された上部軸３０ｂを中心として、吸込グリル３を前方に回動すると、下部係止具２３の第四係止部２３ａに位置する下部軸支持部３１の下部軸３１ｂは、第四係止部２３ａの前方に形成された第二切欠き２３ｄから前方に引き出され、吸込グリル３は、図４（Ａ）に示すように、下開きで開放されるようになっており、次に、開放された吸込グリル３の下面側から前面パネル２に取付けられているフィルタ４を取り出すことができる。
【００３６】
吸込グリル３を前面パネル２から外す際は、吸込グリル３を、図４（Ａ）に示す下開きで開放した状態で下方に押し下げる。これにより、上部係止具２２の第三係止部２２ｃに位置する上部軸支持部３０の上部軸３０ｂは、第一突片２２ｅを乗り越えて第一係止部２２ａへと移動する。次に、第一係止部２２ａの前方に形成された第一切欠き２２ｄから上部軸３０ｂを引き抜くことにより、吸込グリル３を前面パネル２から外すことができるようになっている。
【００３７】
尚、吸込グリル３を再び前面パネル２に取付ける際は、上記した手順とは逆に、まず上部軸３０ｂを上部係止具２２の第一切欠き２２ｄから第一係止部２２ａに挿入した後、吸込グリル３を上方に押し上げ上部軸３０ｂを第三係止部２２ｃに移動させる。続いて、吸込グリル３を第三係止部２２ｃに位置する上部軸３０ｂを中心として閉じるように回動させ、下部軸３１ｂを下部係止具２３の第二切欠き２３ｄから第四係止部２３ａに挿入した後、吸込グリル３を下方に押し下げ、上部軸３０ｂを上部係止具２２の第二係止部２２ｂに移動させるとともに、下部軸３１ｂを下部係止具２３の第五係止部２３ｂに移動させる。これにより、吸込グリル３は前面パネル２に取付けられるようになっている。
【００３８】
次に、吸込グリル３を上方から開閉及び着脱する際の動作について説明する。図５は吸込グリル３を上方から開く際の動作を示しており、吸込グリル３を下方に押し下げると、図５（Ｃ）に示すように、下部軸支持部３１の上部軸３１ａは下部係止具２３の第五係止部２３ｂから第二突片２３ｅを乗り越えて第六係止部２３ｃへと移動するようになっている。上部軸支持部３０の上部軸３０ｂは、図５（Ｂ）に示すように、第二係止部２２ｂから第一突片２２ｅを乗り越えて第一係止部２２ａへと移動するようになっており、これにより吸込グリル３の上面と前面パネル２との間に指が挿入できる隙間７が形成されるようになっている。
【００３９】
続いて、吸込グリル３の上面に形成された隙間７に指を掛け、下部係止具２３の第六係止部２３ｃに係止された下部軸３１ｂを中心として、吸込グリル３を前方に回動させると、上部係止具２２の第一係止部２２ａに位置する上部軸支持部３０の上部軸３１ａは、第一係止部２２ａの前方に形成された第一切欠き２２ｄから前方に引き出され、吸込グリル３は、図５（Ａ）に示すように、上開きで開放されるようになっており、次に、開放された吸込グリル３の上面側から前面パネル２に取付けられているフィルタ４を取り出すことができる。
【００４０】
前記吸込グリル３を上から開放する時には、上部係止具２２の第一係止部２２ａと第一切欠き２２ｄとの間に設けられた第一規制用突起２２ｆが、上部軸３０ｂが吸込グリル３の重さにより上部係止具２２から外れることを防止するようになっている。
【００４１】
吸込グリル３を前面パネル２から外す際は、吸込グリル３を、図５（Ａ）に示す上開きで開放した状態で上方に押し上げる。これにより、下部係止具２３の第六係止部２３ｃに位置する下部軸支持部３１の下部軸３１ｂは、第二突片２３ｅを乗り越えて第四係止部２３ａへと移動する。次に、第第四係止部２３ａの前方に形成された第二切欠き２３ｄから下部軸３１ｂを引き抜くことにより、吸込グリル３を前面パネル２から外すことができるようになっている。
【００４２】
上記したように、吸込グリル３が上開きあるいは下開きで開放あるいは着脱できることにより、一体型空気調和機を室内の壁面上部あるいは壁面下部に据え付けても、フィルタ４の着脱作業を容易に行うことができる。また、吸込グリル３を上開きで回動させる際は、回動中心となる下部軸支持部３１の下部軸３１ｂは下部係止具２３の第六係止部２３ｃに係止され、また、第一係止部２２ａと第一切欠き２２ｄとの間に設けられた第一規制用突起２２ｆにより、開閉作業中に吸込グリル３が不用意に前面パネル２から外れることを規制されるようになっている。また、吸込グリル３の上面及び底面と前面パネル２との間に手指が挿入できる隙間７が形成されることにより容易に開放動作を行うことができ、更に、隙間７は吸込グリル３を上下方向に移動させることにより形成されるので、隙間を小さくでき、本体の外郭寸法がその分大きくなってしまうことはなく、閉じた状態で隙間が目立つようなこともない。
【００４３】
尚、本発明は一体型空気調和機について説明したが、これに限定されるものではなく、吸込グリルとフィルタとを有する、例えば、天井埋込形空気調和機、天井吊下型空気調和機、床置型空気調和機あるいは空気清浄機等にも適用することができる。
【符号の説明】
【００４４】
１  一体型空気調和機
１ａ  第一支承部
１ｂ  第二支承部
２  前面パネル
２０  吸込口
２１  吹出口
２２  上部係止具
２２ａ  第一係止部
２２ｂ  第二係止部
２２ｃ  第三係止部
２２ｄ  第一切欠き
２２ｅ  第一突片
２２ｆ  第一規制用突起
２３  下部係止具
２３ａ  第四係止部
２３ｂ  第五係止部
２３ｃ  第六係止部
２３ｄ  第二切欠き
２３ｅ  第二突片
２３ｆ  第二規制用突起
３  吸込グリル
３０  上部軸支持部
３０ａ  軸支持片
３０ｂ  上部軸
３１  下部軸支持部
３１ａ  軸支持片
３１ｂ  下部軸
４  フィルタ
５  風向板
７  隙間
【図１】
2012127529.tif 000003
【図２】
2012127529.tif 000004
【図３】
2012127529.tif 000005
【図４】
2012127529.tif 000006
【図５】
2012127529.tif 000007